(57)【要約】【課題】低コストで利用者の渋滞を緩和できるトイレを提供する。【解決手段】本発明のトイレは、便器を有する個室の隣に更衣室を設置する。このトイレの利用者は、便器を有する個室で用を足した後、更衣室に移行して衣服を整えることが可能である。そのため、個室の利用時間が短縮される。【選択図】図１
2013212230.tif 000002
【特許請求の範囲】
【請求項１】
便器を有する個室と、その個室の隣に設置された更衣室と、
個室と外部を仕切る第１ドアと、個室と更衣室を仕切る第２ドアと、更衣室と外部を仕切る第３ドアと、
第１ドアの個室側から施錠及び開錠が可能な鍵と、第２ドアの個室側から施錠及び開錠が可能なＡ鍵と、第２ドアの更衣室側から施錠及び開錠が可能なＢ鍵と、第３ドアの更衣室側から施錠及び開錠が可能な鍵を備えたトイレ。
【請求項２】
個室内の人の存在を検出することの可能な個室人体感知センサと、
更衣室内の人の存在を検出することの可能な更衣室人体感知センサと、
第１ドアの鍵を開錠することの可能な第１駆動装置と、
第２ドアのＢ鍵を開錠することの可能なＢ駆動装置と、
個室に人が存在しないことを知らせる信号が個室人体感知センサから入力されると第１駆動装置を駆動して第１ドアの鍵を開錠し、人体感知センサから更衣室に人が存在しないことを知らせる信号が入力されるとＢ駆動装置を駆動して第２ドアのＢ鍵を開錠する制御装置を備えた請求項１に記載のトイレ。
【請求項３】
第２ドアのＡ鍵を施錠することの可能なＡ駆動装置と、第３ドアの鍵を施錠することの可能な第３駆動装置を備え、
制御装置は、個室に人が存在することを知らせる信号が人体感知センサから入力されるとＡ駆動装置を駆動して第２ドアのＡ鍵を施錠し、更衣室に人が存在することを知らせる信号が人体感知センサから入力されると第３駆動装置を駆動して第３ドアの鍵を施錠する請求項２に記載のトイレ。
【請求項４】
第２ドアの開閉を検出することの可能な第２ドアセンサと、
第３ドアの開閉を検出することの可能な第３ドアセンサと、
第１ドアの鍵を開錠することの可能な第１駆動装置と、
第２ドアのＢ鍵を開錠することの可能なＢ駆動装置と、
第２ドアが開閉したことを知らせる信号が第２ドアセンサから入力されると第１駆動装置を駆動して第１ドアの鍵を開錠し、第３ドアが開閉したことを知らせる信号が第３ドアセンサから入力されるとＢ駆動装置を駆動して第２ドアのＢ鍵を開錠する制御装置を備えた請求項１に記載のトイレ。
【請求項５】
第１ドアの鍵の施錠を検出する第１鍵センサと、
第２ドアのＢ鍵の施錠を検出するＢ鍵センサと、
第２ドアのＡ鍵を施錠することの可能なＡ駆動装置と、
第３ドアの鍵を施錠することの可能な第３駆動装置を備え、
駆動装置は、第１ドアの鍵が施錠されたことを知らせる信号が第１鍵センサから入力されると駆動装置を駆動して第２ドアのＡ鍵を施錠し、第２ドアのＢ鍵が施錠されたことを知らせる信号がＢ鍵センサから入力されると駆動装置を駆動して第３ドアの鍵を施錠する請求項４に記載のトイレ。
【発明の詳細な説明】
【技術分野】
【０００１】
本発明は渋滞を緩和できるトイレに関する。
【背景技術】
【０００２】
従来、女性用の公衆トイレは、大勢の利用者によって渋滞することが多い。
特許文献１では、男性用トイレと女性用トイレとの間に男女兼用で利用できる個室を設けることが提案されている。
【先行技術文献】
【特許文献】
【０００３】
【特許文献１】特開２００８−２６７１０４号公報
【発明の開示】
【発明が解決しようとする課題】
【０００４】
しかしながら、特許文献１の提案は、女性に対する安全性が十分に配慮されているとは言いがたい。
一方、女性用のトイレに便器を有する個室を多数設置することは、設備投資に多大の費用がかかるので、困難である。
本発明は、低コストで利用者の渋滞を緩和できるトイレを提供することを目的とするものである。
【課題を解決するための手段】
【０００５】
上記課題を解決するため、本発明のトイレは、便器を有する個室と、その個室の隣に更衣室を備える。
トイレの利用者は、便器を有する個室を使用した後、更衣室に移行して衣服を整えることが可能である。このため、個室の利用時間が短縮される。これにより、トイレに便器を増設することなく、低コストで利用者の渋滞を緩和できる。
【図面の簡単な説明】
【０００６】
【図１】本発明の第１実施形態のトイレの見取図である。
【図２】本発明の第１実施形態のトイレの個室から更衣室側を見た図である。
【図３】本発明の第２実施形態のトイレの見取図である。
【図４】本発明の第３実施形態のトイレの見取図である。
【発明を実施するための形態】
【０００７】
以下、本発明の実施形態を図面に基づいて説明する。
（第１実施形態）
第１実施形態のトイレ１は、図１に示すように、便器２を有する個室３と、その個室の隣に更衣室４を備える。個室と外部を仕切る第１ドア１１、個室と更衣室を仕切る第２ドア１２、及び更衣室と外部を仕切る第３ドア１３には、それぞれ鍵５，６Ａ，６Ｂ，７が設けられている。
第１ドアの鍵５は、個室側から施錠及び開錠が可能である。第２ドアのＡ鍵６Ａは個室側から施錠及び開錠が可能であり、Ｂ鍵６Ｂは更衣室側から施錠及び開錠が可能である。第３ドアの鍵７は、更衣室側から施錠及び開錠が可能である。各鍵が施錠されているか又は開錠されているかは、ドアの鍵と反対側から青色又は赤色の表示により視認できる。
これらの鍵は、制御装置１０から伝送される信号によって駆動する小型モータなどの駆動装置により、自動で施錠及び／又は開錠することが可能なように構成されている。
ここで、第１ドアの鍵を開錠することの可能なモータを第１駆動装置と称し、第２ドアのＡ鍵を施錠することの可能なモータをＡ駆動装置と称し、第２ドアのＢ鍵を開錠することの可能なモータをＢ駆動装置と称し、第３ドアの鍵を施錠することの可能なモータを第３駆動装置と称する。なお、各駆動装置は、施錠および開錠の両方の動作が可能なものでもよい。また、各駆動装置は、図示していない。
個室には、個室内の人の存在を検出することの可能な個室人体感知センサ２０が設けられ、更衣室には、更衣室内の人の存在を検出することの可能な更衣室人体感知センサ２１が設けられている。これらのセンサの信号は、制御装置へ伝送される。
【０００８】
図２に示すように、第２ドアには、回転扉３２が設けられている。この回転扉は、中軸３１を中心に回転可能である。回転扉には、両面にフック３３、３４が設けられ、かばんや上着などを掛けることができる。第２ドアの軸３０と、回転扉の中軸とは、ベルト３３、プーリ、ワンウェイクラッチなどにより連結されている。回転扉は、第２ドアを開けると１８０°回転するように構成される。
【０００９】
このトイレの利用方法を説明する。
トイレの利用者が、第１ドアを開け、個室に入室すると、その情報が個室人体感知センサから制御装置へ伝送される。その場合、制御装置はＡ駆動装置を駆動する信号を伝送し、第２ドアのＡ鍵が施錠される。
【００１０】
利用者は、個室で排泄を終えた後、自ら第２ドアのＡ鍵を開錠し、第２ドアを開け、更衣室に移動する。第２ドアは、そのドアに取り付けられたばねなどにより自動で閉まる。もちろん第２ドアは、利用者が自ら閉めることも可能である。
利用者が第２ドアを開けると、回転扉が１８０°回転する。そのため、フックに掛けられた荷物は更衣室に移動する。
利用者が個室から退出すると、その情報が個室人体感知センサから制御装置へ伝送される。その場合、制御装置は第１駆動装置を駆動する信号を伝送し、第１ドアの鍵が開錠される。これにより、次の利用者が個室に入室することが可能になる。
また、利用者が更衣室に入室すると、その情報が更衣室人体感知センサから制御装置へ伝送される。その場合、制御装置は第３駆動装置を駆動する信号を伝送し、第３ドアの鍵が施錠される。
【００１１】
利用者は、更衣室で衣服を整えた後、自ら第３ドアの鍵を開錠し、第３ドアを開け、外部に退出する。第３ドアは、そのドアに取り付けられたばねなどにより自動で閉まる。もちろん第３ドアは、利用者が自ら閉めることも可能である。利用者が更衣室から退出すると、その情報が更衣室人体感知センサから制御装置へ伝送される、その場合、制御装置はＢ駆動装置を駆動する信号を伝送し、第２ドアのＢ鍵が開錠される。これにより、次の利用者が個室から更衣室に入室することが可能になる。
【００１２】
本実施形態では、トイレの利用者は、便器を有する個室を使用した後、更衣室に移行して衣服を整えることが可能である。このため、個室の利用時間が短縮される。これにより、トイレに便器を増設することなく、低コストで利用者の渋滞を緩和できる。
【００１３】
（第２実施形態）
第２実施形態のトイレは、図３に示すように、人体感知センサが設けられていない。その代わり、第２ドアの開閉を検出することの可能な第２ドアセンサ８、第３ドアの開閉を検出することの可能な第３ドアセンサ９、第１ドアの鍵の施錠を検出する第１鍵センサ、および、第２ドアのＢ鍵の施錠を検出するＢ鍵センサが設けられている。これらのセンサの信号は、制御装置へ伝送される。なお、第１鍵センサとＢ鍵センサは図示していない。
【００１４】
このトイレの利用方法を説明する。
トイレの利用者が、第１ドアから個室に入室し、第１ドアの鍵を施錠すると、その情報が第１鍵センサから制御装置へ伝送される。その場合、制御装置はＡ駆動装置を駆動する信号を伝送し、第２ドアのＡ鍵が施錠される。
【００１５】
利用者は、個室を使用した後、自ら第２ドアの鍵を開錠し、第２ドアを開け、更衣室に移動する。第２ドアが開閉されると、その情報が第２ドアセンサから制御装置へ伝送される。その場合、制御装置は第１駆動装置を駆動する信号を伝送し、第１ドアの鍵が開錠される。これにより、次の利用者が個室に入室することが可能になる。
【００１６】
更衣室に入室した利用者が自ら第２ドアのＢ鍵を施錠すると、その情報がＢ鍵センサから制御装置へ伝送される。その場合、制御装置は第３駆動装置を駆動する信号を伝送し、第３ドアの鍵が施錠される。
利用者は、更衣室で衣服を整えた後、自ら第３ドアの鍵を開錠し、第３ドアを開け、外部に退出する。第３ドアが開閉されると、その情報が第３ドアセンサから制御装置へ伝送される。その場合、制御装置はＢ駆動装置を駆動する信号を伝送し、第２ドアのＢ鍵が開錠される。これにより、次の利用者が個室から更衣室に入室することが可能になる。
【００１７】
（第３実施形態）
第３実施形態のトイレは、図４に示すように、第２ドアがスライド式になっている。このため、利用者が個室から更衣室へ移動しやすい。また、第２ドアは、吊り下げ式であれば、床のレールが不要となるので、利用者が個室から更衣室へさらに移動しやすくなる。
【００１８】
（他の実施形態）
本発明は、簡易トイレ、移動式トイレなどに応用することが可能である。
【符号の説明】
【００１９】
１：トイレ、２：便器、３：個室、４：更衣室
【図１】
2013212230.tif 000003
【図２】
2013212230.tif 000004
【図３】
2013212230.tif 000005
【図４】
2013212230.tif 000006